(57)【要約】電話デバイスを動作させる方法により、フック・フラッシュ機能、パルス・ダイヤリング・オペレーション、トーン・ダイヤリング・オペレーション、ジッタ・バッファ・サイズ、デバウンス特性、送信機および受信機利得、起呼側識別機能、パルス・シグナリング・オペレーション、および呼び出しオペレーションを含む、いくつかの電話オペレーションに対する国際規格の相違に対処する。この方法は、複数の値のそれぞれを管理情報ベース・オブジェクトとして定義すること；管理情報ベース・テーブルとしてインターネット・プロトコル・ネットワーク経由で電話デバイスにダウンロードされた、複数のダウンロード可能値を受信すること；複数のダウンロード可能値を電話デバイスのメモリに格納すること；格納されている複数のダウンロード可能値を使用して、フック・フラッシュ機能、パルス・ダイヤリング・オペレーション、トーン・ダイヤリング・オペレーション、ジッタ・バッファ・サイズ、デバウンス特性、送信機および受信機利得、起呼側識別機能、パルス・シグナリング・オペレーション、発信音オペレーション、呼経過音（例えば、話中音、リングバック、発信音、ダイヤル発信音など）、および呼び出しオペレーションを含む、電話デバイスのオペレーションを制御すること；を含む。広範な動作機能を実現するために様々な範囲およびデフォルト値が設定される。
2005520403.tif 000002
【特許請求の範囲】
【請求項１】
１つまたは複数の国内規格に従って動作する電話デバイスであって、
地域交換局に結合するための１つまたは複数の電話ポートと；
メモリと；
該メモリに結合され、インターネット・プロトコル・ネットワーク経由で該電話デバイスにダウンロード可能な、該メモリに格納されている複数のダウンロード可能値を受け付けるようにプログラムされたプロセッサと；を備え、該複数のダウンロード可能値のそれぞれは管理情報ベース・オブジェクトまたは１つまたは複数の該管理情報ベース・オブジェクトを含む管理情報ベース・テーブルとして定義され、該複数のダウンロード可能値は、
フック・フラッシュ・オペレーション、パルス・ダイヤリング・オペレーション、ジッタ・バッファ・サイズ、デバウンス特性、送信機利得、および受信機利得を含む、該電話デバイスの第１セットのオペレーションを制御する、該１つまたは複数の電話ポートのそれぞれに一セットが対応する、第１セットの管理情報ベース・オブジェクトと、
起呼側識別機能を含む、該電話デバイスの第２セットのオペレーションを制御する、その数は該１つまたは複数の電話ポートの数に無関係である、第２セットの管理情報ベース・オブジェクトと、
該電話デバイスのパルス・シグナリング・オペレーションを制御する第１の管理情報ベース・テーブルと、
該電話デバイスの呼び出し音調オペレーションを制御する第２の管理情報ベース・テーブルと、
該電話デバイスの発信音オペレーションを制御する第３の管理情報ベース・テーブルとを含む、デバイス。
【請求項２】
前記第１セットの管理情報ベース・オブジェクトは、
有効なフック・フラッシュ・オペレーションに対し回線がオンフックである必要がある最小時間を定める最小フック・フラッシュ値を含む請求項１に記載のデバイス。
【請求項３】
前記最小フック・フラッシュ値は、約１ミリ秒から約１０００ミリ秒までの範囲の整数である請求項２に記載のデバイス。
【請求項４】
前記最小フック・フラッシュ値は、約３００ミリ秒のデフォルト値を有する請求項３に記載のデバイス。
【請求項５】
前記第１セットの管理情報ベース・オブジェクトは、
有効なフック・フラッシュ・オペレーションに対し回線がオンフックである必要がある最大時間を定める最大フック・フラッシュ値を含む請求項１に記載のデバイス。
【請求項６】
前記最大フック・フラッシュ値は、約１ミリ秒から約１８００ミリ秒までの範囲の整数である請求項５に記載のデバイス。
【請求項７】
前記最大フック・フラッシュ値は、約１０００ミリ秒のデフォルト値を有する請求項６に記載のデバイス。
【請求項８】
前記第１セットの管理情報ベース・オブジェクトは、
パルス・ダイヤル番号間タイムアウト値を定めるパルス・ダイヤル番号間時間値を含む請求項１に記載のデバイス。
【請求項９】
前記パルス・ダイヤル番号間時間値は、約１００ミリ秒から約１５００ミリ秒までの範
囲の整数である請求項８に記載のデバイス。
【請求項１０】
前記パルス・ダイヤル番号間時間値は、約１００ミリ秒のデフォルト値を有する請求項９に記載のデバイス。
【請求項１１】
前記第１セットの管理情報ベース・オブジェクトは、
ダイヤル・パルスの最小メーク・パルス幅を定めるパルス・ダイヤル最小メーク時間値を含む請求項１に記載のデバイス。
【請求項１２】
前記パルス・ダイヤル最小メーク時間値は、約１ミリ秒から約２００ミリ秒までの範囲の整数である請求項１１に記載のデバイス。
【請求項１３】
前記パルス・ダイヤル最小メーク値は、約２５ミリ秒のデフォルト値を有する請求項１２に記載のデバイス。
【請求項１４】
前記第１セットの管理情報ベース・オブジェクトは、ダイヤル・パルス幅の最大メーク・パルスを定めるパルス・ダイヤル最大メーク時間値を含む請求項１に記載のデバイス。
【請求項１５】
前記パルス・ダイヤル最大メーク時間値は、約１ミリ秒から約２００ミリ秒までの範囲の整数である請求項１４に記載のデバイス。
【請求項１６】
前記パルス・ダイヤル最大メーク時間値は、約５５ミリ秒のデフォルト値を有する請求項１５に記載のデバイス。
【請求項１７】
前記第１セットの管理情報ベース・オブジェクトは、
ダイヤル・パルスの最小ブレーク・パルスを定めるパルス・ダイヤル最小ブレーク時間値を含む請求項１に記載のデバイス。
【請求項１８】
インターネット・プロトコル・ネットワーク経由で電話デバイスにダウンロード可能な、アクセス可能なメモリに格納されている複数のダウンロード可能値を受け付けるように該電話デバイスに指令する該電話デバイス用のプログラム命令が格納されたコンピュータ可読媒体であって、該複数のダウンロード可能値のそれぞれは管理情報ベース・オブジェクトまたは１つまたは複数の管理情報ベース・オブジェクトを含む管理情報ベース・テーブルとして定義され、該複数のダウンロード可能値は、
フック・フラッシュ・オペレーション、パルス・ダイヤリング・オペレーション、ジッタ・バッファ・サイズ、デバウンス特性、送信機利得、および受信機利得を含む、該電話デバイスの第１セットのオペレーションを制御する、該１つまたは複数の電話ポートのそれぞれに一セットが対応する、第１セットの管理情報ベース・オブジェクトと、
起呼側識別機能を含む、該電話デバイスの第２セットのオペレーションを制御する、その数は該１つまたは複数の電話ポートの数に無関係である、第２セットの管理情報ベース・オブジェクトと、
該電話デバイスのパルス・シグナリング・オペレーションを制御する第１の管理情報ベース・テーブルと、
該電話デバイスの呼び出し音調オペレーションを制御する第２の管理情報ベース・テーブルと、
該電話デバイスの発信音オペレーションを制御する第３の管理情報ベース・テーブルとを含む、コンピュータ可読媒体。
【請求項１９】
フック・フラッシュ機能、パルス・ダイヤリング・オペレーション、トーン・ダイヤリング・オペレーション、ジッタ・バッファ・サイズ、デバウンス特性、送信機および受信
機利得、起呼側識別機能、パルス・シグナリング・オペレーション、および呼び出しオペレーションを含む、いくつかの電話オペレーションに対する国際規格の相違に対処するように該電話デバイスを動作させる方法であって、
複数のダウンロード可能値のそれぞれを管理情報ベース・オブジェクトまたは該複数の管理情報ベース・オブジェクトを含む管理情報ベース・テーブルとして定義することと、
インターネット・プロトコル・ネットワーク経由で電話デバイスにダウンロードされた複数のダウンロード可能値を受信することと、
該複数のダウンロード可能値を該電話デバイスのメモリに格納することと、
該格納されている複数のダウンロード可能値を使用して、フック・フラッシュ機能、パルス・ダイヤリング・オペレーション、トーン・ダイヤリング・オペレーション、ジッタ・バッファ・サイズ、デバウンス特性、送信機および受信機利得、起呼側識別機能、パルス・シグナリング・オペレーション、および呼び出しオペレーションを含む、該電話デバイスのオペレーションを制御することと、からなる方法。
【請求項２０】
前記複数のダウンロード可能値は、
フック・フラッシュ・オペレーション、パルス・ダイヤリング・オペレーション、ジッタ・バッファ・サイズ、デバウンス特性、送信機利得、および受信機利得を含む、該電話デバイスの第１セットのオペレーションを制御する、各電話ポートに一セットが対応する、第１セットの管理情報ベース・オブジェクトと、
起呼側識別機能を含む、該電話デバイスの第２セットのオペレーションを制御する、その数は該電話ポートの数に無関係である、第２セットの管理情報ベース・オブジェクトと、
該電話デバイスのパルス・シグナリング・オペレーションを制御する第１の管理情報ベース・テーブルと、
該電話デバイスの呼び出し音調オペレーションを制御する第２の管理情報ベース・テーブルと、
該電話デバイスの発信音オペレーションを制御する第３の管理情報ベース・テーブルとを含む、請求項１９に記載の方法。
【発明の詳細な説明】
【技術分野】
【０００１】
本発明は、一般に、電話での信号伝達の方法および装置に関し、詳細には、大規模な通信ネットワークでの電話での信号伝達の方法および装置に関する。
【背景技術】
【０００２】
（関連出願の記述）
本出願では、同じ発明者により同じ表題のもとで２００２年３月６日に出願された米国仮特許出願第６０／３６２１２４号の優先権を主張する。
【０００３】
本出願は、さらに、同じ発明者の少なくとも１人により上記の出願と同時に出願され、同じ譲受人に譲渡された「Ｓｙｓｔｅｍ  Ａｎｄ  Ｍｅｔｈｏｄ  Ｆｏｒ  Ａｄａｐｔｉｎｇ  Ｒｅｍｏｔｅ  Ｔｅｌｅｐｈｏｎｙ  Ｎｅｔｗｏｒｋｓ  Ｔｏ  Ｎａｔｉｏｎａｌ
Ｄｅｖｉａｔｉｏｎｓ」という表題の米国特許出願第 号［代理人番号Ｄ２９１８］にも関係する。この出願は、図面を含めて、その全体が本明細書に繰り返されているかのように本願に援用される。
（背景技術）
国際電話市場では、国境をまたがって多数の電話インターフェース・パフォーマンス・パラメータが異なる先例がある。以前には、製品は、独自のハードウェア構成またはハードウェアとソフトウェアの組み合わせのいずれかを国内仕様（ｎａｔｉｏｎａｌ  ｄｅｖｉａｔｉｏｎｓ）に適合させることにより「国内化」されていた。近年の欧州連合（ＥＵ）によるＥＵ内のそれらの国内仕様を「調和」させる試みは、従来の電話端末装置（ＴＥ）の基盤が大きいため、完全な「調和」をはかることには成功していない。したがって、加入者構内機器では、それらの国内仕様に引き続き対応していなければならない。さらに、世界の他の国々についても同じことがいえる。
【０００４】
しかしながら、メーカーおよび電話事業者は、端末装置の互換性の問題、コスト、およびサポート要件を低減するため、ハードウェアの相違なしで電話アクセス・ネットワークをこれらの国内仕様に適合可能であることを望んでいる。
【０００５】
特に、インターネット・プロトコル（ＩＰ）ベースのネットワークに関係するので、ＣａｂｌｅＬａｂｓと呼ばれる標準化団体は、Ｖｏｉｃｅ  ｏｖｅｒ  ＩＰネットワークを北米で動作させるための標準の策定に取り組んだ。ＰａｃｋｅｔＣａｂｌｅは、ＤＯＣＳＩＳケーブル・モデムを介して電話サービス通信を提供するためにＣａｂｌｅＬａｂｓにより作成された通信・信号伝達規格である。ＤＯＣＳＩＳは、Ｄａｔａ  Ｏｖｅｒ  Ｃａｂｌｅ  Ｓｙｓｔｅｍｓ  Ｉｎｔｅｒｆａｃｅ  Ｓｐｅｃｉｆｉｃａｔｉｏｎｓの略であり、ヘッドエンドおよびデータ・ネットワークとの通信のためにケーブル・モデムにより使用されるＣａｂｌｅＬａｂｓ規格である。Ｃａｂｌｅｌａｂｓ／Ｐａｃｋｅｔｃａｂｌｅによって策定された続く規格は、北米規格に基づいてアクセス・デバイス（ＭＴＡと呼ばれる）のオペレーションを修正するネットワーク・コール・シグナリング（ＮＣＳ）メッセージとともに、限定された構成および準備機能を提供している。マルチメディア・ターミナル・アダプタ（ＭＴＡ）は、ケーブル・モデムに接続して、光ファイバ同軸ハイブリッド（ＨＦＣ）を介して電話サービスを提供する装置であり、また、ＭＴＡは、従来の一般電話システム（ＰＯＴＳ）電話ともインターフェースする。これらの規格は、本質的に、可能なオペレーションのただ１つのプロファイルを記述し、国際市場のあらゆるバリエーションに適合できるほど十分に柔軟とはいえない。
【発明の開示】
【発明が解決しようとする課題】
【０００６】
複数の国際市場から最近関心を持たれるようになり、新しい環境および異なる環境で動作するよう国内システムの適用性を高める必要が生じている。システム／製品の採算性を維持するためには、上記の環境でも動作する構成をとれるように既存システムを適合させ、国内で使用される同一の１つまたは複数の製品が外国でもまったく同様に動作するようにする必要がある。
【０００７】
したがって、本発明は、国内の電話機器を外国または米国内で動作するように構成可能なものにする方法および装置を開発するという課題を対象としている。
本発明は、非常にフレキシブル・プラットフォームである顧客構内デバイス内に、ＭＩＢモジュールと呼ばれるコア・モジュールを備えることにより、これらの問題およびその他の問題を解決するものである。ＭＩＢモジュールは、デフォルト値およびデフォルト範囲ならびに選択可能なパラメータを使用して電話信号伝達（シグナリング）機能を完全に定義するフレームワークを提供する。そのデフォルト値等は、顧客構内機器を適用すべき国内仕様に合わせて構成するよう、準備または登録プロセス時に自動的に提供することが可能である。
【課題を解決するための手段】
【０００８】
本発明の１態様によれば、関連パラメータは、最も多くの市場が最も少ないパラメータ・セットを使用して共通システムのサービスを受けることができるように、ＭＩＢモジュール内に表される。特に、これらの手法は、呼び出し音調（Ｒｉｎｇ  Ｃａｄｅｎｃｅｓ）および呼経過音（Ｃａｌｌ  Ｐｒｏｇｒｅｓｓ  Ｔｏｎｅｓ）だけでなく、電話オペレーションの他の態様にも適用される。
【発明を実施するための最良の形態】
【０００９】
本明細書で「１実施形態」または「実施形態」と述べた場合、その実施形態と関連して説明されている特定の機能、構造、または特性が、本発明の少なくとも１つの実施形態に含まれていることを意味することに注意されたい。本明細書の様々な場所に「１実施形態では」という語句が出現しても、必ずしもすべて同じ実施形態を指しているわけではない。
【００１０】
上述の問題に対する１つの解決策として、フレキシブル・ハードウェア・プラットフォームを開発し、その後、国内仕様に合わせてそのようなフレキシブル・プラットフォームを構成する方法を考案する。さらに、そのようなプラットフォームは、特定の顧客または導入（ｉｎｓｔａｌｌａｔｉｏｎ）要件に合わせて、そのオペレーションを「カスタマイズ」するために、初期導入およびシステム登録時に（例えば、準備時に）再構成できることが望ましい。最後に、一部のパラメータは、固有呼び出し、電話番号表示（ＣＬＩＤ）、メーター・パルシングなどのアナログ・ローカル・アクセス・シグナリング・サービス（ＡＬＡＳＳ）またはカスタム・ローカル・エリア・シグナリング・サービス（ＣＬＡＳＳ）に対応するために、またはチャネルのコンテンツ要件に応じて帯域幅要件を変えることによりネットワーク帯域幅利用度を改善するために、呼び出し毎に動的に変えなければならない。以下の説明では、プラットフォームのパフォーマンスを機器メーカー、サービス事業者、および顧客ニーズに適合させるシステムおよび方法を提供するための方法について述べる。
【００１１】
本発明の１態様では、ＥＴＳＩ  Ｖ５．ｘプロトコル・シグナリングをアクセス・ネットワーク・プロトコルに変換し、そのプロトコルの制御下で信号およびパラメータを実行するよう遠隔アクセス・ノードの準備を行う方法を提供する。簡易ネットワーク管理プロトコル（ＳＮＭＰ）を利用して、それらのパラメータを遠隔アクセス・ノードに転送する
ことが可能である。本発明の特定の態様は、特に、国際市場に固有なものである拡張音調変化、パルス状信号要求、および定常状態信号要求を対象とする。すべてのＭＴＡはＳＮＭＰを使用して準備を行うことが可能であるが（例えば、手動によるＳＮＭＰ  ＳＥＴＳまたは介入手順を記述したスクリプトを使用して）、ＴＦＴＰを使用して構成ファイルをダウンロードし、ＭＩＢ値を設定するという方法でＭＴＡの準備を行うことも可能である。
【００１２】
本発明の１態様では、アクセス・ノード用のフレキシブル・ハードウェア・プラットフォームに基づき、デフォルトの一セットの要素およびパラメータ（構成）に合わせてハードウェア・プラットフォームを動作させる「デフォルト」パフォーマンス要素を設定するフレキシブル・データベース（ＭＩＢ）を作成する。この初期ＭＩＢ定義は、デフォルト動作モードと呼ばれる。この「デフォルト」の一セットの要素およびパラメータは、最も一般的なパフォーマンス要件のセット（例えば、ＥＵの「調和」規格）と協調する。本質的に、このＭＩＢ定義は、考えられるすべての変数についてパラメータおよび範囲を設定することにより、考えられるすべての国内仕様に対応するフレームワークを提供し、次に、必要に応じて、特定の国内仕様を完全に指定する値を受け付ける。
【００１３】
本発明の他の態様によれば、電話ネットワークへの登録後、フレキシブル・ハードウェア・プラットフォーム「デフォルト」ＭＩＢが国または顧客の要件に従って改訂される（例えば、準備が行われる）という、「準備」プロセスが定義される。この改訂が行われれば、フレキシブル・ハードウェア・プラットフォームのパフォーマンス特性に変化が生じる。
【００１４】
本発明のさらに他の態様によれば、フレキシブル・ハードウェア・プラットフォームにＭＩＢ定義パフォーマンス・パラメータを実行させるためにネットワーク上で通信可能な、一セットのソフトウェア命令が定義される。
【００１５】
本発明のさらに他の態様によれば、呼設定時または動作呼び出し時に情報要素を供給して、一時的ＭＩＢ要素を変更し、フレキシブル・ハードウェア・プラットフォームにその呼び出しまたはその呼び出し条件に対するパフォーマンス特性を変更させる、一セットの拡張ソフトウェア命令が定義される。
【００１６】
図１を参照すると、一般的な電話デバイス（またはマルチメディア・ターミナル・アダプタ）１０が示されている。マルチメディア・ターミナル・アダプタ（ＭＴＡ）は、物理的音声デバイスとのインターフェース、ネットワーク・インターフェース、コーデック、ならびにＶｏＩＰトランスポート、クラス特徴シグナリング、およびＱｏＳシグナリングに必要なすべてのシグナリングおよびカプセル化機能を備えたデバイスである。電話デバイス１０は、プロセッサ１１、メモリ１３、および複数のポート１２ａ〜１２ｎを備えている。これらのポートはそれぞれ、例えば、ネットワーク１５を介して、地域交換局に結合される。次に、ワークステーション１６は、同ネットワーク１５に結合される。ワークステーション１６は、後述のＳＮＭＰ技術を使用して電話デバイス１０のメモリにアクセスすることが可能である。メモリは、ポート毎に１つずつＭＩＢオブジェクト・セット１４ａ〜１４ｎ、ポートの数に無関係の別のＭＩＢオブジェクト・セット１８、追加ＭＩＢオブジェクトを含む３つのＭＩＢテーブル１７ａ〜ｃを格納する。点線は、ワークステーションがメモリ１３に格納されているＭＩＢオブジェクトおよびテーブルとの間でやり取りできることを示すが、実際の接続は、ネットワーク１５、ポート１２ａから１２ｎ経由で、プロセッサ１１の制御下で行われる。
【００１７】
図２を参照すると、異なる国内規格または国内仕様に適合されるように電話デバイスを動作させる一般的方法が示されている。それぞれの電話動作値を管理情報ベース・オブジ
ェクトまたは複数の管理情報ベース・オブジェクトを含む管理情報ベース・テーブルとして定義することにより（要素２１）、それらのオブジェクトの新しい値が所定の変数またはオブジェクトの定義された範囲内にあるものと仮定すると、電話デバイスは、それらの新しい値を受け付けることが可能である。第１セットの管理情報ベース・オブジェクトが、電話ポート毎に一セットずつ定義され、その第１セットの管理情報ベース・オブジェクトは、フック・フラッシュ・オペレーション、パルス・ダイヤリング・オペレーション、ジッタ・バッファ・サイズ、デバウンス特性、送信機利得、および受信機利得を制御する（要素２２）。第２セットの管理情報ベース・オブジェクトも定義され、その数は、電話ポートの数に無関係であり、その第２セットの管理情報ベース・オブジェクトは、起呼側識別機能を含む電話デバイスの第２セットのオペレーションを制御する（要素２３）。電話デバイスのパルス・シグナリング・オペレーションを制御する第１の管理情報ベース・テーブルが定義される（要素２４）。電話デバイスの呼び出し音調オペレーションを制御する第２の管理情報ベース・テーブルも定義される（要素２５）。電話デバイスの発信音オペレーションを制御する第３の管理情報ベース・テーブルが定義される（要素２６）。電話デバイスにより、複数のダウンロード可能値が、インターネット・プロトコル・ネットワークを介して受信される（要素２７）。ダウンロード可能値は、電話デバイスのメモリに格納され（要素２８）、その後、格納されたダウンロード可能値を使用することにより、フック・フラッシュ機能、パルス・ダイヤリング・オペレーション、トーン・ダイヤリング・オペレーション、ジッタ・バッファ・サイズ、デバウンス特性、送信機および受信機利得、起呼側識別機能、パルス・シグナリング・オペレーション、呼び出しオペレーション、および発信音オペレーションを含む、電話デバイスのオペレーションを制御する（要素２９）。
【００１８】
電話パラメータ
以下の電話パラメータは、本出願で説明されている方法により修正して適合し得るが、本発明はこれらのパラメータに制限されるわけでも、束縛されるわけでもない。本明細書で規定している手法を使用することにより、以下のパラメータの少なくともそれぞれを、既存の国内仕様に合わせて完全に直すことが可能である。さらに、今のところ規定されていない新しい国内仕様も、以下の回線シグナリングのパラメータについて広い範囲および柔軟性が可能であると仮定すると、本明細書の手法を使用して作成することが可能である。
【００１９】
通信回線インピーダンス
受信音声信号損失（下り損失、デジタル／アナログ（Ｄ／Ａ）損失、ＩＴＵ−Ｔ  Ｑ．５５１．Ｑ．５５２−Ｌｏによる）
送信音声信号損失（上り損失、アナログ／デジタル（Ａ／Ｄ）損失、ＩＴＵ−Ｔ  Ｑ．５５１／Ｑ．５５２−Ｌｉによる）
ＤＣループ電流
ＤＣループ電圧（Ｖｂａｔｔ）
ループ極性／極性反転
ループ・ブレーク・タイミング−フック・スイッチ、フラッシュ・フック（フック・フラッシュ）、ダイヤル・パルス（パルス・ダイヤリング）
ＶｏＣｏｄｅｒコーディング法
監視トーン発生
デュアル・トーン多周波（ＤＴＭＦ）復号化
ＤＴＭＦトーン符号化
番号計画
オンフック・データ伝送プロトコル
オンフック・データ伝送トーン
オフフック・データ伝送プロトコル
オフフック・データ伝送トーン
呼び出しシグナリング（音調テーブル）
計測−５０Ｈｚ、１２ｋＨｚ、１６ｋＨｚ
呼経過トーン
「Ｋブレーク」時限ループ・ブレーク（切断）
上記のリストはすべてを網羅しているわけではなく、製品設計における選択によっては、これらの機能すべてをサポートしている必要はない。本明細書で説明しているいくつかの方法を利用することで、アクセス・デバイスがそのオペレーションを変更することが可能である場合にそれらのパラメータを修正し得るようにする方法が提供される。
【００２０】
ＥＴＳＩ  ＥＴＳ  ３００  ００１では、これらのパラメータの多くおよびその国内仕様を定義している。
フレキシブル・ハードウェア・プラットフォーム
フレキシブル・ハードウェア・プラットフォームの１例として、組み込みメディア・ターミナル・アダプタを備えたケーブル・モデム、またはメディア・ターミナル・アダプタを備えたケーブル・モデムなどのアクセス・デバイスがある。フレキシブル・ハードウェア・プラットフォームの例としては、モトローラ社（Ｍｏｔｏｒｏｌａ）のＣＧ４５００／４５００ＥおよびＣＧ５５００／５５００Ｅ製品がある。ＣＧ４５００／５５００  Ｓｅｒｉｅｓ  Ｃｏｍｍｕｎｉｃａｔｉｏｎｓ  Ｇａｔｅｗａｙｓは２種類のモデルがあり、ＤＯＣＳＩＳおよびＥｕｒｏＤＯＣＳＩＳプロトコルをサポートしている。ＣＧ４５００／５５００  Ｃｏｍｍｕｎｉｃａｔｉｏｎｓ  Ｇａｔｅｗａｙｓは、２つの独立のＲＪ−１１インターフェース・ジャックを介して、２つの一般電話サービス（ＰＯＴＳ）回線をサポートしている。いずれの通信回線も、遠隔操作で、他の回線と無関係に、有効、無効を設定し得る。電話サービスのサポートに加えて、Ｃｏｍｍｕｎｉｃａｔｉｏｎｓ  Ｇａｔｅｗａｙｓは、１０／１００  Ｂａｓｅ  Ｔ  ＥｔｈｅｒｎｅｔおよびＵＳＢデータ・ポートを備えた高速データ・リンクを提供する。それとは別に、本明細書では、モトローラ社（Ｍｏｔｏｒｏｌａ）のＳＢＶ４２００／ＳＢＶ４２００Ｅ（Ｅ−ＭＴＡ）およびＶＴ１０００（スタンドアローンのＭＴＡ）により、ＭＩＢアプリケーションおよび機能を実現可能である。
【００２１】
設計技術は、上記の回線シグナリング・パラメータすべてがハードウェアで、またはハードウェアとソフトウェアの組み合わせで定義することが可能な状況にまで進んでいる。ハードウェアは、ソフトウェアの制御下で上記パラメータのうちのどれか１つまたは他のパラメータについてそのパフォーマンスを変更することが可能であるので、以下の説明はアナログ電話の構成、準備、および呼処理に当てはまる。
【００２２】
パラメータ定義
電話パフォーマンス・パラメータ毎に、これから説明しようとしているパラメータの実際のパフォーマンス特性を記述するいくつかの属性がある。一般的には、以下のような適応型通信機能をサポートするデータベースおよびメッセージの形式が考えられる。
【００２３】
パラメータ：属性１，属性２，属性３，．．．，属性Ｎ
そのため、データベースには、上記パラメータのそれぞれに対するエントリと、それらエントリのそれぞれに関連付けられた関係する属性とが収められている。
【００２４】
管理情報ベース（ＭＩＢ）
ＭＩＢは、上記のようにアクセス・デバイスが定義されているパラメータを使用して実行するように構成または準備を行うために使用される、データベース（ＤＢ）などの仮想ストア内に常駐する被管理オブジェクトの集合体である。通常、このデータベースはシステム・オペレータの制御下で集中して一元管理される。ＤＢは、システム規模の個々のデ
バイス上で、または回線毎に、パラメータ定義を行えるように構造化することが可能である。ＭＩＢ、その管理システム（例えば、パラメータ／属性設定）、およびＭＩＢの内容を分配する方法は、当業者には周知であり、したがって本明細書で繰り返し説明する必要はない。
【００２５】
一般に、属性は、適合させるパラメータの性質に基づき定義することが可能である。
アクセス・デバイスにより生成されるパラメータは、例えば、振幅、周波数、継続時間、および音調タイミング（例えば、オン／オフ・パターン、番号間タイミングなど）といった属性を有する。他の属性もまた、必要に応じて指定することが可能である。
【００２６】
アクセス・デバイスにより受信または検出されるパラメータは、例えば、レベル、周波数、最小継続時間、最大継続時間、音調タイミング（例えば、オン／オフ・パターン、番号間タイミング最小／最大など）といった属性を有する。同様に、他の属性もまた、指定することが可能である。
【００２７】
いくつかのパラメータは値固有のパラメータであり、例えば、以下のようなものがある。
回線インピーダンスは、一般に、第２の抵抗と並列容量との並列結合に給電する直列抵抗として記述される。
【００２８】
ループ電流またはループ電圧は、固有の値パラメータとなる。
ループ極性−順方向ループ、逆方向ループ
ＶｏＣｏｄｉｎｇ  Ｌａｗ−Ｇ．１１μ−ｌａｗ、Ｇ．７１１  Ａ−ｌａｗ、Ｇ．７２３、Ｇ．７２８、Ｇ．７２９、Ｇ．７２９ｅなど
ダイヤル計画−特定の番号と番号列
許容範囲は、アクセス・デバイスのハードウェアおよびソフトウェア設計特性により定義されているため、システムでは定義されていない。
【００２９】
準備
アクセス・デバイスの構成および準備のプロセスは、当業者には周知であるため、本明細書で説明を繰り返す必要はない。本明細書では、準備プロセスで伝達される拡張パラメータおよび属性について説明する。
【００３０】
ネットワーク・コール・シグナリング（ＮＣＳ）
本明細書で説明する実施形態では、ＮＣＳメッセージを利用する。ＮＣＳはメディア・ゲートウェイ制御プロトコル（ＭＧＣＰ）（つまり、ＰａｃｋｅｔＣａｂｌｅにより採用されているＶｏｉｃｅ−Ｏｖｅｒ−ＩＰ規格）のプロファイルであるため、当業者であれば、同じメッセージ、原理、および実施方法を、そのプロトコルあるいは分散コール・シグナリング（ＤＣＳ）またはＨ．３２３（ＩＴＵ遠隔会議プロトコル）などの他の多数のプロトコルのうちのいずれか１つとともに適用することが可能である。したがって、本発明は、それらのプロトコルのうちのどれか１つに限られない。
【００３１】
文書Ｐｋｔ−ＳＰ−ＥＣ−ＭＧＣＰ−Ｉ０１−９９０３１２（現在はＰＫＴ−ＳＰ−ＥＣ−ＭＧＣＰ−Ｉ０６−０２１１２７）の中のＣａｂｌｅＬａｂｓ／ＰａｃｋｅｔＣａｂｌｅ  ＮＣＳ定義は、技術報告書から一般要件（ＧＲ）、つまりＧＲ−５７−ＣＯＲＥおよびＧＲ−９０９−ＣＯＲＥに一段進んだ、ＴＡ−ＮＷＴ−０００９０９およびＴＲ−ＮＷＴ−００００５７などのＴｅｌｃｏｒｄｉａ  Ｔｅｌｅｐｈｏｎｙ文書で定義されているような一部のパラメータを制御する、制限された機能しか定義していない。アクセス・ネットワークの機能を高め、広範な国内仕様および国際市場の一部の独自のパラメータに適合させるために、本明細書で説明されているようにオリジナルのＮＣＳの作業を拡大す
る。そこで、ＮＣＳに対し新しい回線パッケージ（例えば、ＥＴＳＩ回線パッケージ）を定義することで、オリジナルのＰａｃｋｅｔＣａｂｌｅ  ＮＣＳ  Ｌｉｎｅ  Ｐａｃｋａｇｅ仕様とコンフリクトしない形で国内仕様に対応する。
【００３２】
これらのメッセージは、アクセス・デバイスに対しパラメータ値または条件を設定するよう指令する。一部のメッセージでは、これらの値は暗黙に設定されており（明記されない）、暫定的な値が使用される。他の場合には、これらのメッセージは、使用される代替え属性を供給し、暫定的な値と置き換えるように拡張される。したがって、アクセス・デバイスを所定の回線シグナリング・パラメータを構成するよう修正するために、（例えば、システム・オペレータ・ノードから、またはシステム・オペレータの制御下で）アクセス・デバイスにメッセージが送信され、このメッセージにより、メッセージで指定されている属性に従って所定の回線シグナリング・パラメータが完全に調整される。最終結果として、アクセス・デバイスは、指定された機能に従って動作することになる。
【００３３】
ＭＩＢの実施形態
本明細書で説明している実施形態は、ブロードバンド通信部門（ＢＣＳ）／インターネット・プロトコル・ネットワーク・システム（ＩＰＮＳ−現在はデジタル・コア・ゲートウェイ）ケーブル電話システムの顧客構内機器（例えば、モトローラ社（Ｍｏｔｏｒｏｌａ）ＣＧ４５００／ＣＧ４５００Ｅ、ＣＧ５５００／ＣＧ５５００Ｅ）に、関連する要素管理サブシステム（ＥＭＳｓ）および構成制御ヘッドエンド機器（例えば、Ｔｒｉｖｉａｌ  Ｆｉｌｅ  Ｔｒａｎｓｐｏｒｔ  Ｐｒｏｔｏｃｏｌ（ＴＦＴＰ）サーバ）とともに適用可能である。それとは別に、ＳＢＶ４２００／ＳＢＶ４２００Ｅ（Ｅ−ＭＴＡ）およびＶＴ１０００（スタンドアローンのＭＴＡ）は、本明細書の機能を備えることが可能であり、したがって、ＣＧ４５００およびＣＧ５５００について言及されている場合、ＳＢＶ４２００とＶＴ１０００は交換可能である。さらに、本明細書の実施形態は、国際的なケーブル電話市場にも適用可能である。本願発明を使用すると、国内市場向けのシステム機器を拡張して、国際市場に対応させることが可能である。図１には、本発明が適用可能なシステムの１例が示されている。ＭＴＡ、例えば、ＣＧ４５００／４５００Ｅは、サーバ（例えば、ＥＭＳ）に結合されており、サーバはワークステーションを備え、ワークステーションを介して、システム・オペレータは回線シグナリング・プロトコルの国内仕様に合わせて望む通りにモデムを構成することが可能である。ＭＩＢは、例えば、ＳＮＭＰプロトコルを使用して、ＥＭＳに格納される（または、ＭＩＢはＥＭＳからアクセス可能であり、ネットワーク経由でモデムに転送することが可能である）。
【００３４】
本発明の実施形態は、モトローラ社（Ｍｏｔｏｒｏｌａ）のケーブル電話システムをおよび製品を使用して国際電話オペレーションをサポートするために必要なＭＩＢオブジェクトを含む。
【００３５】
本発明の実施形態は、地域（ｃｏｍｍｕｎｉｔｙ）のケーブル配信システムを介した電話に関する。
本発明の１実施形態では、標準のＳｉｍｐｌｅ  Ｎｅｔｗｏｒｋ  Ｍａｎａｇｅｍｅｎｔ  Ｐｒｏｔｏｃｏｌ（ＳＮＭＰ）Ｖｅｒｓｉｏｎ  ２（ＳＮＭＰｖ２）の方法を使用する。ＳＮＭＰは、ＴＣＰ／ＩＰベースのインターネット上のネットワーク・デバイスを管理および監視する標準化された方法である。つまり、この実施形態では、ＭＩＢオブジェクトだけでなくＭＩＢオブジェクトを実際に実装する被管理デバイスを理解し使用することが可能である、要素管理システムを使用する。
【００３６】
さらに、これらの実施形態では、各オブジェクトの初期状態を表すＴＬＶを使用する構成ファイルを使用する。ＳＮＭＰ規格を使用することで、電話サービスを起呼者に提供することを開始する前に、国内パラメータに応じて被管理デバイスを自動的に初期化するこ
とが可能である。すべてのＭＴＡはＳＮＭＰを使用して初期化を行うことが可能であるが（手動によるＳＮＭＰ  ＳＥＴＳまたは介入手順を記述したスクリプトを使用して）、ＴＦＴＰを使用して構成ファイルをダウンロードし（ＴＬＶとともに）、初期ＭＩＢ値を設定し、その後ＳＮＭＰを使用してＭＩＢ設定を監視または再構成するという方法でＭＴＡの「初期化」を行うことも可能である。
【００３７】
本発明の実施形態は、ＰａｃｋｅｔＣａｂｌｅのＮＣＳ  ＭＩＢ（ＰＫＴ−ＳＰ−ＭＩＢ−ＮＣＳ−Ｉ０１−９９１２０１、これは現在ＰＫＴ−ＳＰ−ＭＩＢ−ＳＩＧ−Ｉ０５−０２１１２７である）のバージョンに関してＥＴＳＩに適用可能なＭＩＢオブジェクトを含む。これらのオブジェクトをまとめることにより、可能な限り最も広い国際市場において顧客構内機器（ケーブル電話用のＣＰＥ）を動作させるために必要な挙動を定義する。
【００３８】
本発明により可能になる製品およびシステムは、様々な国際市場でのオペレーションが可能である。この問題を解決する一環として、本システムでは、ＳＮＭＰを使用して、それらのオペレーションを定義する様々なデバイス（しかし特にＣＰＥ）内のパラメータを管理する。一セットのＭＩＢが定義されており、これによりＳＮＭＰ対応ワークステーションはそれらの制御を実行することが可能である。
【００３９】
本システムにおける国際化を効果的にサポートするには、以下の主要領域におけるオペレーションを柔軟に構成することが必要である。
１．パルス信号：
ａ．フック・フラッシュ（例えばPktcNcsEndPntConfigMinHookFlash およびPktcNcsEndPntConfigMaxHookFlash 参照）
ｂ．ダイヤル・パルス（例えばPktcNcsEndPntConfigPulseDialInterdigitTime、PktcNcsEndPntConfigPulseDialMinMakeTime 、PktcNcsEndPntConfigPulseDialMaxMakeTime,PktcNcsEndPntConfigPulseDialMinBreakTime、およびPktcNcsEndPntConfigPulseDialMaxBreakTime参照）
２．呼経過信号：
ａ．呼び出し音調（例えばPktcSigDevRingCadenceTable、PktcSigDevRingCadenceEntry、PktcSigDevRingCadenceIndex、PktcSigDevRingCadence 、およびPktcSigDevStandardRingCadence 参照）
ｉ．１回の標準呼び出し音
ｉｉ．１回のスプラッシュ呼び出し音（例えばPktcSigDevRingSplashCadence 参照）
ｉｉｉ．複数回のカスタム呼び出し音
ｂ．トーン・シグナリング（例えばPktcSigDevToneTable 、PktcSigDevToneEntry 、PktcSigDevToneType、PktcSigDevToneDbLevel 、 PktcSigDevToneFreqType 、PktcSigDevToneNumFrequencies、PktcSigDevToneFirstFrequency、PktcSigDevToneSecondFrequency 、PktcSigDevToneThirdFrequency、PktcSigDevToneFourthFrequency 、PktcSigDevToneNumOnOffTimes 、PktcSigDevToneFirstToneOn 、PktcSigDevToneFirstToneOff、PktcSigDevToneSecondToneOn、PktcSigDevToneSecondToneOff 、PktcSigDevToneThirdToneOn 、PktcSigDevToneThirdToneOff、PktcSigDevToneFourthToneOn、PktcSigDevToneFourthToneOff 、PktcSigDevToneWholeToneRepeatCountおよびPktcSigDevToneSteady参照）
ｉ．タイプ（リオーダー、リングバック、高速、ビジーＤＴＭＦなど）
ｉｉ．信号レベル
ｉｉｉ．信号周波数
ｉｖ．信号音調
３．コーデック・パラメータ：（例えばPktcSigDevCIDMode 、PktcSigDevCIDFskAfterRing 、PktcSigDevCIDFskAfterDTAS 、PktcSigDevCIDRingAfterFSK 、およびPktcSigDevCI
DDTASAfterLR参照）
ａ．フック・スイッチのデバウンス特性（例えばPktcNcsEndPntConfigOnHookDebounce およびPktcNcsEndPntConfigOffHookDebounce参照）
ｂ．送信機／受信機利得の設定（例えばPktcNcsEndPntConEgTxGainおよびPktcNcsEndPntConfigRxGain 参照）
ｃ．ジッタ・バッファの設定（主にサイズ）（例えばPktcNcsEndPntConfigNomJitterBufferSizeおよびPktcNcsEndPntConfigMaxJitterBufferSize参照）
これらのパラメータはそれぞれ、市場毎に（または国毎に）異なる電話オペレーションを記述する。
【００４０】
本明細書では、これらのパラメータはそれぞれ、ＭＩＢオブジェクト使用して表される。呼び出し音調および発信音（トーン）の表現は、呼び出し音調に１つ、発信音に１つというぐあいに、別々のＭＩＢテーブルとして記述される。それぞれの場合において、様々な市場に見られる変更形態が捕捉され、その表現の中に必要なあらゆる自由度が存在するように一セットのＭＩＢオブジェクトに符号化される。
【００４１】
ＭＩＢ形式のオブジェクトの表現には以下の利点がある。
１．複数のメーカーの製品間に相互運用性を持たせることを可能にするＭＩＢの標準化。
２．標準ＳＮＭＰ技術を使用したそれらのオブジェクトの管理。つまり、複数のメーカーの要素管理システムでデバイスを管理することが可能となる。
３．起動時のそれらのオブジェクトの初期化で、ＳＮＭＰベースのシステムにおいても一般的である、Ｔｙｐｅ−Ｌｅｎｇｔｈ−Ｖａｌｕｅ（ＴＬＶ）形式を介して、メーカーが合意している使用標準構成ファイル（少なくとも本明細書で規定されているＭＩＢオブジェクトの初期値設定／初期化のサポートに関して）を採用することが可能である。
【００４２】
国際電話オペレーション問題を解決するには、上記すべてをシステム内に実装する必要があることに注意されたい。どれか１つでも欠けていると、利用可能な市場の範囲がその脱落により狭められる。
【００４３】
本発明の様々な態様によるＭＩＢオブジェクトの例のリストを以下に示す。これらのＭＩＢオブジェクトをコンピュータ可読媒体上にコンピュータで符号化し、顧客構内機器内に埋め込んで上述の機能を実行させることが可能である。これらのオブジェクトの様々な１つが、本発明の様々な態様を表しており、必要に応じて、または望みに応じて、単独で、または互いに通信し合って使用することが可能である。
【００４４】
これらのオブジェクト内で選択される値は、オブジェクトが既存の国内仕様に適合し、それらの国内仕様におけるいくつかの潜在的変更に対応し得るように、所定の要素の変化能力が最大になるように選択される。さらに、これらの値を調整することで、新しい要件に基づいて追加の変化能力を提供することが可能であり、その調整は、当業者であれば本開示に基づいて理解できるであろう。
【００４５】
ＭＩＢオブジェクトのリスト
以下のＭＩＢオブジェクトは、電話ポート毎にすべてのＣＰＥデバイス内で繰り返される。
pktcNcsEndPntConfigMinHookFlash   OBJECT-TYPE 
SYNTAX          Integer32 (1..1000) 
UNITS             「ミリ秒」
MAX-ACCESS      read-create 
STATUS            current 
DESCRIPTION 
「これは有効なフック・フラッシュに対して回線がオンフックである必要がある最小時間である。」
DEFVAL{300} 
:: = {pktcNcsEndPntConfigEntry 31}
pktcNcsEndPntConfigMaxHookFlash   OBJECT-TYPE 
SYNTAX          Integer32 (1.. 1800)
UNITS           「ミリ秒」
MAX-ACCESS     read-create
STATUS          current 
DESCRIPTION 
「これは、有効なフック・フラッシュに対して回線がオンフックになる必要がある最長時間である。」
DEFVAL{1000}
::= {pktcNcsEndPntConfigEntry 32} 
pktcNcsEndPntConfigPulseDialInterdigitTime  OBJECT-TYPE 
SYNTAX          Integer32 (100.. 1500)
UNITS             「ミリ秒」
MAX-ACCESS     read-create
STATUS          current 
DESCRIPTION 
「これは、パルス・ダイヤル番号間タイムアウトである。」
DEFVAL{100} 
::= {pktcNcsEndPntConfigEntry 33} 
pktcNcsEndPntConfigPulseDialMinMakeTime OBJECT-TYPE 
SYNTAX          Integer32 (1.. 200) 
UNITS             「ミリ秒」
MAX-ACCESS     read-create
STATUS          current 
DESCRIPTION 
「これは、ダイヤル・パルスの最小メーク・パルス幅である。」
DEFVAL {25} 
::= {pktcNcsEndPntConfigEntry 34} 
pktcNcsEndPntConfigPulseDialMaxMakeTime   OBJECT-TYPE 
SYNTAX          Integer32 (1.. 200) 
UNITS             「ミリ秒」
MAX-ACCESS     read-create
STATUS          current 
DESCRIPTION 
「これは、ダイヤル・パルスの最大メーク・パルス幅である。」
DEFVAL {55} 
::= {pktcNcsEndPntConfigEntry 35} 
pktcNcsEndPntConfigPulseDialMinBreakTime  OBJECT-TYPE 
SYNTAX          Integer32 (1.. 200) 
UNITS             「ミリ秒」
MAX-ACCESS     read-create
STATUS          current 
DESCRIPTION 
「これは、ダイヤル・パルスの最小ブレーク・パルス幅である。」
DEFVAL {45} 
::= {pktcNcsEndPntConfigEntry 36} 
pktcNcsEndPntConfigPulseDialMaxBreakTime  OBJECT-TYPE 
SYNTAX          Integer32 (1.. 200) 
UNITS             「ミリ秒」
MAX-ACCESS     read-create
STATUS          current 
DESCRIPTION 
「これは、ダイヤル・パルスの最大ブレーク・パルス幅である。」
DEFVAL {75} 
::= {pktcNcsEndPntConfigEntry 37} 
pktcNcsEndPntConfigNomJitterBufferSize   OBJECT-TYPE
SYNTAX          Integer32 
UNITS             「ミリ秒」
MAX-ACCESS     read-create
STATUS          current 
DESCRIPTION 
「ｂｔｉが補正可能である公称ジッタ量の現在設定。」
::={pktcNcsEndPntConfigEntry 38}
pktcNcsEndPntConfigMaxJitterBufferSize  OBJECT-TYPE 
SYNTAX          Integer32 
UNITS             「ミリ秒」
MAX-ACCESS     read-create
STATUS          current 
DESCRIPTION 
「ｂｔｉが補正可能である最大ジッタ量の現在設定。」
::={pktcNcsEndPntConfigEntry 39}
pktcNcsEndPntConfigOnHookDebounce   OBJECT-TYPE 
SYNTAX          Integer32(1..1000)
UNITS             「ミリ秒」
MAX-ACCESS     read-create
STATUS          current 
DESCRIPTION 
「オンフック・デバウンスの長さ。」
DEFVAL {200}
::= {pktcNcsEndPntConfigEntry 40} 
pktcNcsEndPntConfigOffHookDebounce  OBJECT-TYPE 
SYNTAX          Integer32(1..1000)
UNITS             「ミリ秒」
MAX-ACCESS     read-create
STATUS          current 
DESCRIPTION 
「オフフック・デバウンスの長さ。」
DEFVAL {100}
::= {pktcNcsEndPntConfigEntry 41} 
pktcNcsEndPntConfigTxGain    OBJECT-TYPE
SYNTAX          Integer32(-14..14)
UNITS             「ｄＢ」
MAX-ACCESS     read-create
STATUS          current 
DESCRIPTION 
「１回線当たりの送信機利得。」
DEFVAL{0} 
::= {pktcNcsEndPntConfigEntry 42} 
pktcNcsEndPntConfigRxGain OBJECT-TYPE 
SYNTAX          Integer32(-14..14)
UNITS             「ｄＢ」
MAX-ACCESS     read-create
STATUS          current 
DESCRIPTION 
「１回線当たりの受信機利得。」
DEFVAL{0} 
::= {pktcNcsEndPntConfigEntry 43} 
【００４６】
以下のＭＩＢオブジェクトは、電話ポートの個数とは無関係に、各ＣＰＥデバイスについて１回存在する。
pktcSigDevCIDMode   OBJECT-TYPE 
SYNTAX            INTEGER { 
northAmerican(1), 
duringRingingETS(2),
dtAsETS(3), 
rpAsETS(4), 
lrAsETS(5)
} 
MAX-ACCESS     read-write 
STATUS          current 
DESCRIPTION 
「オンフックおよびオフフックの両方の起呼側ＩＤに対し、ｐｋｔｃＳｉｇＤｅｖＣＩＤＭｏｄｅで北米変調方式（ＢｅｌｌＣｏｒｅ２０２）とＥＴＳ変調方式（Ｖ．２３）のいずれかを選択する。オンフック起呼側ＩＤについては、さらに、第１および第２の呼び出しパターン（ｎｏｒｔｈＡｍｅｒｉｃａｎとｄｕｒｉｎｇＲｉｎｇｉｎｇＥＴＳ）、デュアル・トーン・アラート信号（ＤｔＡｓＥＴＳ）の間、呼び出し音パルスの後（ｒｓＡｓＥＴＳ）、または回線反転後デュアル・トーン・アラート信号（ｌｒＡｓＥＴＳ）の後のＦＳＫの送信を選択する。」
DEFVAL {northAmerican}
::= {pktcSigDevConfigObjects 28}
pktcSigDevCIDFskAfterRing    OBJECT-TYPE
SYNTAX          Integer32(500..2000)
UNITS           「ミリ秒」
MAX-ACCESS     read-create
STATUS          current 
DESCRIPTION 
「第１の呼び出しパターンの終わりとＣａｌｌｅｒＩＤ情報を含むＦＳＫの送信の間の遅延を決定する。これは、ｐｋｔｃＳｉｇＤｅｖＣＩＤＭｏｄｅがｎｏｒｔｈＡｍｅｒｉｃａｎまたはｄｕｒｉｎｇＲｉｎｇｉｎｇＥＴＳの場合にのみ使用される。」
DEFVAL {550}
::= {pktcSigDevConfigObjects 29}
pktcSigDevCIDFskAfterDTAS   OBJECT-TYPE 
SYNTAX          Integer32(45..500)
UNITS           「ミリ秒」
MAX-ACCESS     read-create
STATUS          current 
DESCRIPTION 
「デュアル・トーン・アラート信号（ＤＴ−ＡＳ）と、起呼側ＩＤ情報を含むＦＳＫの送信との間の遅延を決定する。これは、ｐｋｔｃＳｉｇＤｅｖＣＩＤＭｏｄｅがｄｔＡｓＥＴＳまたはｌｒＡｓＥＴＳの場合にのみ使用される。」
::= {pktcSigDevConfigObjects 30}
pktcSigDevCIDRingAfterFSK    OBJECT-TYPE
SYNTAX          Integer32(200..500) 
UNITS           「ミリ秒」
MAX-ACCESS       read-create
STATUS          current 
DESCRIPTION 
「起呼側ＩＤ情報を含むＦＳＫの完全送信と、第１の呼び出しパターンとの間の遅延を決定する。これは、ｐｋｔｃＳｉｇＤｅｖＣＩＤＭｏｄｅがｄｔＡｓＥＴＳ、ｒｐＡｓＥＴＳ、またはｌｒＡｓＥＴＳの場合にのみ使用される。」
::= {pktcSigDevConfigObjects 31}
pktcSigDevCIDDTASAfterLR   OBJECT-TYPE
SYNTAX          Integer32(100..655) 
UNITS           「ミリ秒」
MAX-ACCESS       read-create
STATUS          current 
DESCRIPTION 
「回線反転の終わりと、デュアル・トーン・アラート信号（ＤＴ−ＡＳ）との間の遅延を決定する。これは、ｐｋｔｃＳｉｇＤｅｖＣＩＤＭｏｄｅがｌｒＡｓＥＴＳの場合にのみ使用される。」
::= {pktcSigDevConfigObjects 32}
pktcSigDevCIDDTASAfterLR   OBJECT-TYPE
SYNTAX          SEQUENCE OF PktcSigPulseSignalEntry 
MAX-ACCESS       not-accessible 
STATUS          current 
DESCRIPTION 
「パルス信号テーブルにより、パルス信号オペレーションを定義する。４種類の国際パルス信号、つまり初期呼び出し音、メータ・パルス、逆極性、および電池切れがある。パルス持続時間タイプは固有であり、１から３２までの値で指定される。」
::= {pktcSigDevConfigObjects 27}
pktcSigPulseSignalEntry    OBJECT-TYPE
SYNTAX          PktcSigPulseSignalEntry 
MAX-ACCESS     not-accessible 
STATUS          current 
DESCRIPTION 
「事業者によって指定される値に対応する１から３２までの範囲の固有の値。」
INDEX {pktcSigPulseSignalIndex} 
:: = {pktcSigPulseSignalTable 1}
PktcSigPulseSignalEntry :: = SEQUENCE { 
pktcSigPulseSignalIndex                   Integer32,
pktcSigPulseSignalDuration                Integer32,
pktcSigPulseSignalType              INTEGER,
pktcSigPulseSignalDbLevel                 Integer32,
pktcSigPulseSignalFrequency         INTEGER,
pktcSigPulseSignalRepeatCount             Integer32,
pktcSigPulseSignalPauseDuration     Integer32}
pktcSigPulseSignalIndex    OBJECT-TYPE
SYNTAX          Integer32(1.. 32) 
MAX-ACCESS      not-accessible
STATUS          current 
DESCRIPTION 
「事業者特有のパルス・タイプおよび持続時間に相当するテーブル・インデックス。」
::= {pktcSigPulseSignalEntry 1} 
pktcSigPulseSignalDuration  OBJECT-TYPE 
SYNTAX          Integer32(1.. 5000) 
UNITS           「ミリ秒」
MAX-ACCESS      read-write
STATUS           current
DESCRIPTION 
「パルス持続時間は事業者と国によって異なる。」
DEFVAL {1000} 
::= {pktcSigPulseSignalEntry 2} 
pktcSigPulseSignalType  OBJECT-TYPE 
SYNTAX          INTEGER 
{
initialRing(1), 
meterPulse(2),
reversePolarity(3), 
noBattery(4)
} 
MAX-ACCESS      read-write
STATUS          current 
DESCRIPTION 
「４種類の国際パルス信号がある。」
DEFVAL {initialRing}
:: = {pktcSigPulseSignalEntry 3}
pktcSigPulseSignalDbLevel   OBJECT-TYPE 
SYNTAX          Integer32 (-25..15) 
UNITS           「dbm 」
MAX-ACCESS      read-write
STATUS           current
DESCRIPTION 
「これは、メータ・パルスの生成が可能なデシベル・レベルである。」
:: ={pktcSigPulseSignalEntry 4} 
pktcSigPulseSignalFrequency   OBJECT-TYPE 
SYNTAX          INTEGER { 
fifty(1), 
twelvethousand(2),
sixteenthousand (3) } 
UNITS           「Hertz 」
MAX-ACCESS     read-write 
STATUS          current 
DESCRIPTION 
「これは、メータ・パルスの生成が可能な周波数である。」
:: ={pktcSigPulseSignalEntry 5} 
pktcSigPulseSignalRepeatCount   OBJECT-TYPE 
SYNTAX          Integer32 (0..5000) 
MAX-ACCESS     read-write 
STATUS          current 
DESCRIPTION 
「これは、反復カウントであり、パルスを何回繰り返すかを示す。」
:: ={pktcSigPulseSignalEntry 6} 
pktcSigPulseSignalPauseDuration   OBJECT-TYPE 
SYNTAX          Integer32(1.. 5000) 
UNITS           「ミリ秒」
MAX-ACCESS      read-write
STATUS          current   
DESCRIPTION 
「パルス間の休止時間は事業者と国によって異なる。」
:: ={pktcSigPulseSignalEntry 7} 
【００４７】
以下のＭＩＢオブジェクトは、呼び出し音の音調を記述するものであり、各デバイスについて１回存在する。
pktcSigDevRingCadenceTable  OBJECT-TYPE 
SYNTAX          SEQUENCE OF PktcSigDevRingCadenceEntry
MAX-ACCESS    not-accessible
STATUS         current
DESCRIPTION 
「Ｖ５．２では、音調呼び出し音は、それぞれの国の通信管理機関によって定義される。ＭＴＡは、様々な範囲の音調パターンおよび音調期間をサポートし得なければならない。ＭＴＡは、音調およびアイドル期間の国固有の準備をサポートできる。１つの音調期間に高々３回のオン／オフ遷移がある。それぞれの音調パターンには、ＬＥ信号によって送信された値＋１に対応する１〜１２８の範囲の固有の値が割り当てられる。ＭＴＡは、顧客によって準備された音調テーブル・エントリから音調期間を導く。」
:: ={pktcSigDevConfigObjects 33}
pktcSigDevRingCadenceEntry OBJECT-TYPE
SYNTAX          PktcSigDevRingCadenceEntry
MAX-ACCESS    not-accessible
STATUS         current
DESCRIPTION 
「国に特有の音調に基づきＬＥにより送られた値（＋１）に対応する１〜１２８の範囲の固有の値、つまり１音調サイクル当たりの行数。特定の国向けの所定のシステム実装では、使用される音調が少ないことが予想される。したがって、このテーブルでは１２８行全部に値が書き込まれることはまずない。」
INDEX {pktcSigDevRingCadenceIndex}
::= {pktcSigDevRingCadenceTable 1}
pktcSigDevRingCadenceIndex OBJECT-TYPE
SYNTAX          Integer32(1.. 128)
MAX-ACCESS      not-accessible
STATUS           current
DESCRIPTION 
「国特有の音調（１〜１２８）に相当するテーブル・インデックス。」
::= {pktcSigDevRingCadenceEntry 1}
pktcSigDevRingCadence OBJECT-TYPE 
SYNTAX          OCTET STRING (SIZE (2..28)) 
MAX-ACCESS      read-write
STATUS           current
DESCRIPTION 
「これは、呼び出し音の音調オクテット列である。ビット列の第１のオクテットは、音調の持続時間の長さをビット単位で表す。第１のオクテットの後の各ビットは、５０ｍｓを表し、１は呼び出し音を表し、０は無音を表す。第２のオクテットの第１のビットは、呼び出し音の音調の第１のビットである。音調サイクル全体である１０８００ｍｓを表すのにトータルで２１６ビットのみ設定することが可能である。」
::= {pktcSigDevRingCadenceEntry 2}
SYNTAX          OCTET STRING (SIZE (2..28)) 
MAX-ACCESS      read-write
ST ATUS           current
DESCRIPTION 
「これは、標準呼び出し音の音調オクテット列である。ビット列の第１のオクテットは、音調の持続時間の長さをビット単位で表す。第１のオクテットの後の各ビットは、
５０ｍｓを表し、１は呼び出し音を表し、０は無音を表す。第２のオクテットの第１のビットは、呼び出し音の音調の第１のビットである。音調サイクル全体である１０８００ｍｓを表すのにトータルで２１６ビットのみ設定することが可能である。」
::= {pktcSigDevConfigObjects 34}
pktcSigDevRingSplashCadence OBJECT-TYPE 
SYNTAX          OCTET STRING (SIZE (2..28)) 
MAX-ACCESS      read-write
STATUS           current
DESCRIPTION 
「これは、スプラッシュ呼び出し音の音調オクテット列である。ビット列の第１のオクテットは、音調の持続時間の長さをビット単位で表す。第１のオクテットの後の各ビットは、５０ｍｓを表し、１は呼び出し音を表し、０は無音を表す。第２のオクテットの第１のビットは、呼び出し音の音調の第１のビットである。音調サイクル全体である１０８００ｍｓを表すのにトータルで２１６ビットのみ設定することが可能である。」
::= {pktcSigDevConfigObjects 35}
【００４８】
以下のＭＩＢオブジェクトは、トーン・テーブルを記述するものであり、各デバイスについて１回存在する。
pktcSigDevToneTable   OBJECT-TYPE 
SYNTAX          SEQUENCE OF PktcSigDevToneEntry 
MAX-ACCESS     not-accessible 
STATUS           current
DESCRIPTION 
「トーン・テーブルでは、様々な発信音オペレーションを定義する。」
::= {pktcSigDevConfigObjects 36}
pktcSigDevToneEntry   OBJECT-TYPE 
SYNTAX          PktcSigDevToneEntry 
MAX-ACCESS     not-accessible 
STATUS          current 
DESCRIPTION 
「デバイスがサポートしている異なる発信音タイプに対応する１から４９までの範囲の固有の値。これらの発信音は、国特有のニーズに基づいて準備される。」
INDEX {pktcSigDevToneType}
::={pktcSigDevToneTable 1}
PktcSigDevToneEntry ::= SEQUENCE {
pktcSigDevToneType                        INTEGER,
pktcSigDevToneDbLevel                      Integer32, 
pktcSigDevToneFreqType                     INTEGER, 
pktcSigDevToneNumFrequencies              Integer32,
pktcSigDevToneFirstFrequency              Integer32,
pktcSigDevToneSecondFrequency             Integer32,
pktcSigDevToneThirdFrequency              Integer32,
pktcSigDevToneFourthFrequency             Integer32,
pktcSigDevToneNumOnOffTimes               Integer32,
pktcSigDevToneFirstToneOn                 Integer32,
pktcSigDevToneFirstToneOff                 Integer32, 
pktcSigDevToneSecondToneOn                 Integer32, 
pktcSigDevToneSecondToneOff                Integer32, 
pktcSigDevToneThirdToneOn                  Integer32, 
pktcSigDevToneThirdToneOff                 Integer32, 
pktcSigDevToneFourthToneOn                Integer32,
pktcSigDevToneFourthToneOff                Integer32, 
pktcSigDevToneWholeToneRepeatCount        Integer32,
pktcSigDevToneSteady                      TruthValue
} 
pktcSigDevToneType  OBJECT-TYPE 
SYNTAX            INTEGER { 
dtmf0(0), 
dtmf1(1), 
dtmf2(3), 
dtmf3(3), 
dtmf4(4), 
dtmf5(5), 
dtmf6(6), 
dtmf7(7), 
dtmf8(8), 
dtmf9(9), 
dtmfToneStar(10), 
dtmfTonePound(11),
dtmfA (12), 
dtmfB (13), 
dtmfC (14), 
dtmfD (15), 
busy (16),
confirmation (17),
dial (18),
messageWaiting(19), 
offHookWarning (20),
ringBack (21),
reOrder (22), 
stutterdial (23), 
loopback (24),
callWaiting1 (25),
callWaiting2 (26),
callWaiting3 (27),
callWaiting4 (28),
alertingSignal (29),
testTone (30),
specialDial (31), 
specialInfo (32), 
release (33), 
congestion (34),
userDefinedOne (35) 
} 
MAX-ACCESS      read-only 
STATUS           current
DESCRIPTION 
「これは、アクセスされる発信音のタイプを定義する。」
:: ={pktcSigDevToneEntry 1} 
pktcSigDevToneDbLevel OBJECT-TYPE 
SYNTAX          Integer32 (-60.. 4) 
UNITS             「dbm 」
MAX-ACCESS     read-write 
STATUS           current
DESCRIPTION 
「これは、発信音が発生し得るデシベル・レベルである。」
DEFVAL {-4} 
:: ={pktcSigDevToneEntry 2} 
pktcSigDevToneFreqType  OBJECT-TYPE 
SYNTAX          INTEGER{
allFrequencies (1), 
singleFrequecySequence (2), 
dualFrequencySequence (3),
allFrequenciesModulated (4) 
} 
MAX-ACCESS     read-write 
STATUS          current 
DESCRIPTION 
「このオブジェクトは、周波数がどのように適用されるかを記述する。
ａｌｌＦｒｅｑｕｅｎｃｉｅｓは、ｂｔｉＴｏｎｅＮｕｍＦｒｅｑｕｅｎｃｉｅｓによって指定されたすべての周波数が混合され、単音が形成されることを示す。その後、発信音は、ｂｔｉＴｏｎｅＮｕｍＯｎＯｆｆＴｉｍｅｓで指定されたオン／オフ時間数を使用して順番に適用される。
ｓｉｎｇｌｅＦｒｅｑｕｅｃｙＳｅｑｕｅｎｃｅは、ｂｔｉＴｏｎｅＮｕｍＦｒｅｑｕｅｎｃｉｅｓで指定されたすべての周波数が、対応する周波数オン／オフ時間を使用して順番に適用されることを示す（例えば、ｂｔｉＴｏｎｅＦｉｒｓｔＦｒｅｑｕｅｎｃｙはｂｔｉＴｏｎｅＦｉｒｓｔＴｏｎｅＯｎおよびｂｔｉＴｏｎｅＦｉｒｓｔＴｏｎｅＯｆｆを使用し、ｂｔｉＴｏｎｅＳｅｃｏｎｄＦｒｅｑｕｅｎｃｙはｂｔｉＴｏｎｅＳｅｃｏｎｄＴｏｎｅＯｎおよびｂｔｉＴｏｎｅＳｅｃｏｎｄＴｏｎｅＯｆｆを使用し、というように続く）。この発信音タイプについては、ｂｔｉＴｏｎｅＮｕｍＦｒｅｑｕｅｎｃｉｅｓはｂｔｉＴｏｎｅＮｕｍＯｎＯｆｆＴｉｍｅｓに等しくなければならない。
ｄｕａｌＦｒｅｑｕｅｎｃｙＳｅｑｕｅｎｃｅは、２対の周波数を混合して、２つの順序付けられた発信音を形成することを示す。第１および第２の周波数は、混合することで発信音１を形成し、ｂｔｉＴｏｎｅＦｉｒｓｔＴｏｎｅＯｎおよびｂｔｉＴｏｎｅＦｉｒｓｔＴｏｎｅＯｆｆを使用して適用される。第３および第４の周波数は、混合することで発信音２を形成し、ｂｔｉＴｏｎｅＳｅｃｏｎｄＴｏｎｅＯｎおよびｂｔｉＴｏｎｅＳｅｃｏｎｄＴｏｎｅＯｆｆを使用して適用される。この発信音タイプについては、ｂｔｉＴｏｎｅＮｕｍＦｒｅｑｕｅｎｃｉｅｓは４に等しくなければならず、ｂｔｉＴｏｎｅＮｕｍＯｎＯｆｆＴｉｍｅｓは２に等しくなければならない。
ａｌｌＦｒｅｑｕｅｎｃｉｅｓＭｏｄｕｌａｔｅｄは、ｂｔｉＴｏｎｅＮｕｍＦｒｅｑｕｅｎｃｉｅｓによって指定されたすべての周波数が変調され、単音が形成されることを示す。
その後、発信音は、ｂｔｉＴｏｎｅＮｕｍＯｎＯｆｆＴｉｍｅｓで指定されたオン／オフ時間数を使用して順番に適用される。」
DEFVAL {allFrequencies} 
:: ={pktcSigDevToneEntry 3} 
pktcSigDevToneNumFrequencies  OBJECT-TYPE 
SYNTAX            Integer32 (1.. 4) 
MAX-ACCESS        read-write
STATUS             current
DESCRIPTION 
「テーブル・エントリで指定された周波数の個数を指定する。」
DEFVAL {1}
::= {pktcSigDevToneEntry 4} 
pktcSigDevToneFirstFrequency  OBJECT-TYPE 
SYNTAX          Integer32 (0.. 4000)
UNITS             「ヘルツ」
MAX-ACCESS     read-write 
STATUS            current 
DESCRIPTION 
「これは、多重周波数音での発信音が発生し得る第１の周波数である。」
:: ={pktcSigDevToneEntry 5} 
pktcSigDevToneSecondFrequency   OBJECT-TYPE 
SYNTAX            Integer32 (0.. 4000)
UNITS             「ヘルツ」
MAX-ACCESS     read-write 
STATUS            current 
DESCRIPTION 
「これは、多重周波数音での発信音が発生し得る第２の周波数である。」
:: ={pktcSigDevToneEntry 6} 
pktcSigDevToneThirdFrequency  OBJECT-TYPE 
SYNTAX            Integer32 (0.. 4000)
UNITS             「ヘルツ」
MAX-ACCESS     read-write 
STATUS            current 
DESCRIPTION 
「これは、発信音が発生し得る第３の周波数である。」
:: ={pktcSigDevToneEntry 7} 
pktcSigDevToneFourthFrequency   OBJECT-TYPE 
SYNTAX            Integer32 (0.. 4000)
UNITS             「ヘルツ」
MAX-ACCESS     read-write 
STATUS            current 
DESCRIPTION 
「これは、発信音が発生し得る第４の周波数である。」
:: ={pktcSigDevToneEntry 8} 
pktcSigDevToneNumOnOffTimes   OBJECT-TYPE 
SYNTAX            Integer32(1.. 4)
MAX-ACCESS      read-write
STATUS            current 
DESCRIPTION 
「テーブル・エントリで指定されたオン／オフ時間の数を指定する。」
DEFVAL {1}
:: = {pktcSigDevToneEntry 9}
pktcSigDevToneFirstToneOn OBJECT-TYPE 
SYNTAX            Integer32 (0.. 5000)
UNITS               「ミリ秒」
MAX-ACCESS       read-write 
STATUS              current 
DESCRIPTION 
「これは、第１の発信音間隔である。」
:: = {pktcSigDevToneEntry 10} 
pktcSigDevToneFirstToneOff OBJECT-TYPE
SYNTAX            Integer32 (0.. 5000)
UNITS               「ミリ秒」
MAX-ACCESS       read-write 
STATUS              current 
DESCRIPTION 
「これは、第１のアイドル間隔である。」
:: = {pktcSigDevToneEntry 11} 
pktcSigDevToneSecondToneOn OBJECT-TYPE
SYNTAX            Integer32 (0.. 5000)
UNITS               「ミリ秒」
MAX-ACCESS       read-write 
STATUS              current 
DESCRIPTION 
「これは、第２の発信音間隔である。」
:: = {pktcSigDevToneEntry 12} 
pktcSigDevToneSecondToneOff OBJECT-TYPE 
SYNTAX            Integer32 (0.. 5000)
UNITS               「ミリ秒」
MAX-ACCESS       read-write 
STATUS              current 
DESCRIPTION 
「これは、第２のアイドル間隔である。」
:: = {pktcSigDevToneEntry 13} 
pktcSigDevToneThirdToneOn OBJECT-TYPE 
SYNTAX            Integer32 (0.. 5000)
UNITS               「ミリ秒」
MAX-ACCESS       read-write 
STATUS              current 
DESCRIPTION 
「これは、第３の発信音間隔である。」
:: = {pktcSigDevToneEntry 14} 
pktcSigDevToneThirdToneOff OBJECT-TYPE
SYNTAX            Integer32 (0.. 5000)
UNITS               「ミリ秒」
MAX-ACCESS       read-write 
STATUS              current 
DESCRIPTION 
「これは、第３のアイドル間隔である。」
:: = {pktcSigDevToneEntry 15} 
pktcSigDevToneFourthToneOn OBJECT-TYPE
SYNTAX            Integer32 (0.. 5000)
UNITS               「ミリ秒」
MAX-ACCESS       read-write 
STATUS              current 
DESCRIPTION 
「これは、第４の発信音間隔である。」
:: = {pktcSigDevToneEntry 16} 
pktcSigDevToneFourthToneOff OBJECT-TYPE 
SYNTAX            Integer32 (0.. 5000)
UNITS               「ミリ秒」
MAX-ACCESS       read-write 
STATUS              current 
DESCRIPTION 
「これは、第４のアイドル間隔である。」
:: = {pktcSigDevToneEntry 17} 
pktcSigDevToneWholeToneRepeatCount  OBJECT-TYPE 
SYNTAX            Integer32 (0.. 5000)
UNITS               「ミリ秒」
MAX-ACCESS       read-write 
STATUS              current 
DESCRIPTION 
「これは、反復カウントであり、オン／オフのシーケンス全体を何回繰り返すかを示す。」
:: = {pktcSigDevToneEntry 18} 
pktcSigDevToneSteady  OBJECT-TYPE 
SYNTAX            TruthValue
MAX-ACCESS       read-write 
STATUS              current 
DESCRIPTION 
「これは、定常状態の発信音である。真に設定すると、オン／オフ・シーケンスの後の
最後の音を継続する。」
【００４９】
以下のＭＩＢオブジェクトは、国際化に関係する含まれるすべてのオブジェクトを記述する。
pktcInternationalGroup  OBJECT-GROUP
OBJECTS { 
pktcNcsEndPntConfigMinHookFlash,
pktcNcsEndPntConfigMaxHookFlash,
pktcNcsEndPntConfigNomJitterBufferSize, 
pktcNcsEndPntConfigMaxJitterBufferSize, 
pktcNcsEndPntConfigOnHookDebounce,
pktcNcsEndPntConfigOffHookDebounce, 
pktcNcsEndPntConfigTxGain,
pktcNcsEndPntConfigRxGain,
pktcNcsEndPntConfigPulseDialInterdigitTime, 
pktcNcsEndPntConfigPulseDialMinMakeTime,
pktcNcsEndPntConfigPulseDialMaxMakeTime,
pktcNcsEndPntConfigPulseDialMinBreakTime, 
pktcNcsEndPntConfigPulseDialMaxBreakTime, 
pktcSigDevRingCadence,
pktcSigDevStandardRingCadence,
pktcSigDevRingSplashCadence,
pktcSigDevCIDMode,
pktcSigDevCIDFskAfterRing,
pktcSigDevCIDFskAfterDTAS,
pktcSigDevCIDRingAfterFSK,
pktcSigDevCIDDTASAfterLR, 
pktcSigPowerRingFrequency,
pktcSigPCMCoding, 
pktcSigPulseSignalDuration, 
pktcSigPulseSignalType, 
pktcSigPulseSignalDbLevel,
pktcSigPulseSignalFrequency,
pktcSigPulseSignalRepeatCount,
pktcSigPulseSignalPauseDuration,
pktcSigDevToneType, 
pktcSigDevToneDbLevel,
pktcSigDevToneFreqType, 
pktcSigDevToneNumFrequencies, 
pktcSigDevToneFirstFrequency, 
pktcSigDevToneSecondFrequency,
pktcSigDevToneThirdFrequency, 
pktcSigDevToneFourthFrequency,
pktcSigDevToneNumOnOffTimes,
pktcSigDevToneFirstToneOn,
pktcSigDevToneFirstToneOff, 
pktcSigDevToneSecondToneOn, 
pktcSigDevToneSecondToneOff,
pktcSigDevToneThirdToneOn,
pktcSigDevToneThirdToneOff, 
pktcSigDevToneFourthToneOn, 
pktcSigDevToneFourthToneOff,
pktcSigDevToneWholeToneRepeatCount, 
pktcSigDevToneSteady
} 
STATUS current
DESCRIPTION 
「可能な限り様々な国際市場群でのオペレーションをサポートするため既存のオブジェクトの挙動を拡張するオブジェクトのグループ。これらのオブジェクトの多くは、このＭＩＢモジュール内の他のオブジェクトで記述される挙動のスーパーセットを表すことに注意されたい。このような場合、同じデバイス内で両方のオブジェクトをサポートするかどうか決定するのはメーカーに任されている。」
:: ={pktcSigGroups 3} 
【００５０】
本明細書では様々な実施形態が特に例示され、説明されているが、本発明の修正形態および変更形態が、本発明の精神および意図する範囲を逸脱することなく、上記の教示のカバー範囲にあり、また請求項の範囲内に包含されることは理解されるであろう。例えば、ＭＩＢオブジェクトを電話デバイスに送信するためのいくつかのプロトコルが説明されているが、他のプロトコルを使用することも可能である。さらに、この例は、請求項のカバー範囲にある本発明の修正形態および変更形態を制限するものと解釈すべきではなく、単に考えられる変更形態を例示しているにすぎない。
【図面の簡単な説明】
【００５１】
【図１】本発明の１態様による電話デバイスの１実施例を示す図。
【図２】本発明の他の態様による、電話規格の国内仕様に適合可能であるように電話デバイスを動作させる方法の１実施例を示す図。
【図１】
2005520403.tif 000003
【図２】
2005520403.tif 000004
【国際調査報告】
2005520403.tif 000005
2005520403.tif 000006